(57)【要約】      （修正有）【課題】  データをそのタイムスタンプ情報と共に記録媒体に記録し、その後、そのデータを添付ファイルにしてメイルで送る場合であっても、受信後のデータに対応するタイムスタンプ情報が消失されずに保持させることを目的とする。【解決手段】  データ記録装置１において、記録手段が、記録すべきデータに加えて、当該記録すべきデータに係るファイルに対応付けられるファイルネームにデータが記録される際にクロック手段が生成するタイムスタンプ情報を記録するように、制御手段６が制御を行うように構成した。【選択図】図１
2007048088.tif 000002
【特許請求の範囲】
【請求項１】
記録媒体に、入力されるデータをファイルを構成して記録し、且つ、そのデータの記録によって構成されるファイルに対応付けてファイルネームを当該記録媒体に記録し得る記録手段と、その記録手段が記録媒体にデータを記録する際のタイムスタンプ情報を生成するクロック手段と、前記記録手段が入力して来るデータを記録媒体に記録するように制御を行なう制御手段が備えられ、
上記制御手段は、上記記録手段が記録媒体にデータを記録する際に、上記クロック手段からの時刻を、当該記録しようとするデータに対応付けられたファイルネームに記録するように上記記録手段を制御するように構成されてなるデータ記録装置。
【請求項２】
クロック手段が、制御手段に内蔵された構成の請求項１に記載のデータ記録装置。
【発明の詳細な説明】
【技術分野】
【０００１】
この発明は記録媒体にデータを記録するデータ記録装置に関し、特に、データが記録される際にそのデータを記録する際の時刻を示すデータが対応付けられて記録される、つまり、データに所謂タイムスタンプ情報が付される構成のデータ記録装置に関する。
【背景技術】
【０００２】
一の記録媒体に複数のデータ（ファイル）を記録した場合、再生の際に再生させたいファイルを読出すためにはそれぞれのファイルを特定する必要が生じて来る。
このファイルを特定することに対して、データを記録してできた各ファイルにユーザーがファイルネームを付したり、記録媒体にデータを記録した際の年、月、日、時、分、秒の時刻を自動的にそのファイルに関連付けて記録する機能、所謂タイムスタンプ機能をデータ記録装置に備えて構成することで、対応することが知られている。
【０００３】
殊に、今日では、記録媒体の記録容量が急激に増加して一つの記録媒体に数多くのデータを記録することが可能になっている。そのために、一つの記録媒体に記録された数多くのデータを間違いなく特定したり、それらのデータを編集する場合等においては、タイムスタンプ機能、つまり、そのデータを記録した際の時刻が大きな意味を持っている。
記録媒体は、一時に或る一つのデータのみの記録が可能であって同時に複数のデータを記録することはできない。よって、タイムスタンプ機能を作用させることによって、データを記録した時刻から該当するファイルを一義的に確実に特定させることが可能である。
【０００４】
そこで、データが記録された時刻を知ることが可能なタイムスタンプ機能を有するデータ記録装置としては、以下の文献が知られている。
【０００５】
【特許文献１】特開平９−４６３９０号公報
【発明の開示】
【発明が解決しようとする課題】
【０００６】
データが記録された時刻、つまり、タイムスタンプ情報は各データが記録媒体に記録された固有の時刻を示すものである。よって、ユーザーは、記録媒体に記録されたデータに付されたタイムスタンプ情報に基づいて、一つの記録媒体に記録されている多くのデータ（ファイル）をそれぞれ特定することが可能である。
そして、ユーザーがそれらのファイルの中から任意に選択したファイル（データ）を遠方に送る場合には、その特定のファイルを読出してメイルに添付して相手に送るという方法が取られている。
【０００７】
ここで、メイルに添付されたファイル（データ）に付されているタイムスタンプ情報がメイルの送受によって欠落しないならば、その添付のファイルを受け取った者もタイムスタンプ情報を活用することが可能である。  
しかしながら、ファイルをメイルに添付して送ると、そのファイルを受け取った際にタイムスタンプ情報が消失し、当該メイルを送った時刻と受け取った時刻を知ることはできるが、当該メイルに添付のファイルに係るタイムスタンプ情報、つまりそのファイルを作成した時刻を特定できないという問題が生じる。
【０００８】
従って、複数のファイル（データ）をタイムスタンプ情報に基づいてを管理したり、編集しようとする際に、ファイルを作成した時刻が欠落している場合には、結果的にファイルの編集や管理ができないという問題が生じることになる。
又、今日では一つの記録媒体に数多くのファイルが記録可能な状態にあって且つファイルをメイルで送ることが日常化した取り扱いであることより、それに対応する分だけタイムスタンプ情報の消失の虞があることになり、この点からも問題は深刻である。
【０００９】
又、記録媒体にデータを記録し、このことによって得たファイル（データ）をインターネット上に保存し、その保存しているファイルを訪問者がダウンロードする場合には、タイムスタンプ情報が消失し、上述と同様な問題が生じることになる。
【００１０】
他方、従来技術を示す上記公報には、データと、データにタイムスタンプ情報を付加することと、データを送ることは記されている。
しかしながら、データを送ることによってそのデータに付されているタイムスタンプ情報が消失されることについての記載は認められない。                                
【００１１】
この発明は、上記の事情に鑑みてなされたものであり、記録媒体にデータに記録する際にそのデータ記録を行なう時刻、いわゆるタイムスタンプ情報を当該データに対応付けて付加し、前記記録媒体から記録したデータ（ファイル）を読出してメイルに添付して送る場合であっても、或いは、任意のデータをインターネット上に保存してその保存しているデータを訪問者がダウンロードする場合であっても、タイムスタンプ情報が消失することのないようにデータを記録するデータ記録装置を提供するものである。
【課題を解決するための手段】
【００１２】
この発明は、記録媒体にファイルを構成してデータを記録する際に、前記ファイルに対応するファイルネームにデータ記録を行う際のタイムスタンプ情報を記録するように構成してなるデータ記録装置である。
【００１３】
その詳細な構成は、記録媒体に、入力されるデータをファイルを構成して記録し、且つ、そのデータの記録によって構成されるファイルに対応付けてファイルネームを当該記録媒体に記録し得る記録手段と、その記録手段が記録媒体にデータを記録する際のタイムスタンプ情報を生成するクロック手段と、前記記録手段が入力して来るデータを記録媒体に記録するように制御を行なう制御手段が備えられ、
上記制御手段は、上記記録手段が記録媒体にデータを記録する際に、上記クロック手段からの時刻を、当該記録しようとするデータに対応付けられたファイルネームに記録するように上記記録手段を制御するように構成されてなるデータ記録装置である。
【００１４】
斯かる構成のデータ記録装置によって記録媒体にファイルが構成されてデータが記録されると、ファイルに対応付いてファイルネームが一体的に構成され、添付ファイルにしてメイルで送ってもファイルネームは消失することはない。
【００１５】
ここで、クロック手段は、制御手段に内蔵される構成が挙げられる。
しかしながら、タイムスタンプ情報において、クロック手段の示す時刻と実際にデータが記録される時刻の間のタイムラグをより一層小さくなることを望む場合では、クロック手段を記録手段と制御手段の間に配設する構成が挙げられる。
殊に、記録すべきデータが映像、映像と音声の複合であって、映像の動きを時間によって捉える必要がある場合等では、クロック手段の示す時刻と実際のデータの記録時刻にタイムラグは無視できるほどに小さいことが望ましく、クロック手段は電気回路的に記録手段により一層近い位置に配設することが望ましい。
【００１６】
尚、ファイルネームの記録可能な容量は、少なくとも、タイムスタンプ情報を書込むことが可能な容量である。
が、今日では、記録媒体の容量の飛躍的な増大化に伴って記録可能なファイルの数が増えており、多くのファイルを特定するためにファイルネームの記録可能な容量も増えている。
【発明の効果】
【００１７】
この発明は、データを記録する際に当該データに係るファイルネームにタイムスタンプ情報が記録される構成としたことにより、データを添付ファイルとしてメイルで送受する場合であっても、ファイル（データ）をインターネット上に保存し、その保存しているファイルを訪問者がダウンロードする場合であっても、タイムスタンプ情報を消失することがなくファイルネーム内に保持させ得るデータ記録装置である。
よって、斯かる構成のデータ記録装置によってデータの記録を行なうと、データの記録した時刻が確実に保持されて、データの編集等に利便である。
【発明を実施するための最良の形態】
【００１８】
この発明を、図面に示す最良の形態に基づき詳述する。しかし、この形態によって、この発明が限定されるものではない。
データ記録装置１は、マイクロフォン２と、アンプ３と、Ａ／Ｄ変換器４と、記録手段であるデジタル信号プロセッサ５（以下、「ＤＳＰ５」と称する）と、制御手段６と、バッファメモリ７と、Ｄ／Ａ変換器８と、アンプ９と、スピーカ１０と、操作手段１１、表示手段１２及びデータ出力端１３が備えられている。
尚、１４は記録媒体であって、具体的には、半導体メモリである。
【００１９】
マイクロフォン２は、記録対象データの音声を入力してアナログ信号に変換するものである。マイクロフォン２は、装置本体のケーシング（図示省略）の上面に配設されている。
アンプ３は、マイクロフォン２の後段に接続され、マイクロフォン２からの音声データを示すアナログ信号のボリュームを所望の大きさに加工するものである。
【００２０】
Ａ／Ｄ変換器４は、アンプ３の後段に接続され、所望の大きさに加工されたアナログ信号を入力し、デジタル信号に変換して出力するものである。
ＤＳＰ５は、制御手段６からの制御信号に基づいて、Ａ／Ｄ変換器４からのデジタル信号のデータを受取った際に、そのデータを記録媒体１４に記録する手段として機能するものである。
【００２１】
又、ＤＳＰ５は、制御手段６からの制御信号に基づいて、記録媒体１４に記録されているデジタル信号のデータを再生してＤ／Ａ変換器８に送るようにデータを再生する手段として機能するものである。
つまり、ＤＳＰ５は、記録手段であり且つ再生手段である。
【００２２】
制御手段６は、ＤＳＰ５が入力して来るデータを記録媒体１４に記録するように制御を行ない、且つ、ＤＳＰ５が記録媒体１４から記録されているデータを読み出すように制御を行うものである。
又、制御手段６は、ＤＳＰ５が記録媒体１４にデータを記録する際のタイムスタンプ情報を生成するに前記クロック手段がその時のタイムスタンプ情報を生成するクロック手段（図示省略）が内蔵されている。
そして、制御手段６は、ＤＳＰ５が記録媒体１４にデータを記録する際に、前記クロック手段が生成するタイムスタンプ情報を、記録しようとするデータに対応付けられたファイルネームに記録するように機能するものである。
【００２３】
尚、Ａ／Ｄ変換器４及びＤ／Ａ変換器８とＤＳＰ５の間にはデジタルのデータ信号を送るためのバス１５が、ＤＳＰ５と制御手段６の間にはデジタルのデータ信号を送るためのバス１６が、ＤＳＰ５とバッファメモリ７の間にはデジタルのデータ信号を送るためのバス１７、バッファメモリ７と記録媒体１４の間にはデジタルのデータ信号を送るためのバス１８が、それぞれ介在されている。
【００２４】
バッファメモリ７は、ＤＳＰ５からのデータを一時的に記録するものである。
つまり、ＤＳＰ５からのデータは、バス１７を介してバッファメモリ７に送られ、一時的にバッファメモリ７に記録される。
【００２５】
操作手段１１は、ユーザーが制御手段６に制御機能を行わせるためのものであって、操作を行なう釦類は前記装置本体のケーシングの前面及び天面に配設されている。
又、表示手段１２は、装置のその時点における機能状態等を表示するものであって、装置本体のケーシングの前面に配設されており、液晶表示部（図示省略）を備えて構成されている。
出力端１３は、記録媒体１４に記録されているデータを取出すための端子部である。
【００２６】
データ記録装置１は、上述したように構成されている。以下において、データ記録装置１の使用を説明する。
ユーザーは、データ記録装置１を携行し、講演者Ａの講演を聴きながらその講演を記録（講演録音）するために講演会場に出掛ける。
講演会場において、ユーザーはデータ記録装置１を用いて講演者Ａの講演を録音する、つまり、データ記録装置１が講演者Ａの音声データを記録するように、操作手段１１のＲＥＣ釦を操作してデータ記録装置１に記録機能を開始させる。
【００２７】
ここで、データ記録装置１は、操作手段１１から制御手段６にデータを記録する旨のＲＥＣ信号が出力される。
制御手段６は、このＲＥＣ信号を受けると、上記クロック手段が生成するタイムスタンプ情報をＤＳＰ５及びバッファメモリ７を介して、記録媒体１４のデータを記録すべきエリアつまりファイルを構成するためのエリアに対応付けられるファイルネームに記録するようにＤＳＰ５を制御する。
【００２８】
ここで、ＤＳＰ５は、制御手段６からの制御信号に基づいて、記録媒体１４の講演者Ａの講演（音声データ）を記録するためのエリアに対応するファイルネームに、前記クロック手段からの対応するタイムスタンプ情報を記録する。
他方、講演者Ａの講演の音声はマイクロフォン２にピックアップされ、アナログ信号に変換されてアンプ３に送られる。
アンプ３は、マイクロフォン２からの講演者Ａの講演の音声に係るアナログ信号を受取ると、その音量を所望の大きさに加工し、Ａ／Ｄ変換器４に送る。
【００２９】
Ａ／Ｄ変換器４は、アンプ３からの所望の大きさに加工されたアナログ信号を入力すると、デジタル信号に変換してバス１５に出力する。
ＤＳＰ５は、制御手段６からの制御信号に基づいてデータの記録手段として機能し、バス１５を介してのＡ／Ｄ変換器４からの講演者Ａの講演の音声に係るデジタル信号を受取ると、バス１７を介してそのデジタル信号をバッファメモリ７に送る。
【００３０】
バッファメモリ７はバス１７からのデジタル信号を所定順序で一時記録し、続いて、バッファメモリ７に一時記録されたデジタル信号のデータは、バス１８を介して記録媒体１４に送られる。
記録媒体１４は、このデータ記録において前記ファイルが構成されるべきエリア、つまり、前記ファイルネームに対応するエリアに講演者Ａの講演に係るデジタル信号のデータが所定順序で記録される。
尚、表示手段１２は、データ記録装置１の使用の開始の状態、データ記録を行なっている際の入力データ（音声）のレベル等を表示している。
【００３１】
講演者Ａが講演を終えると、ユーザーは操作手段１１を操作して、データ記録装置１の機能を停止する。
ここで、記録媒体１４には、講演者Ａの今回の講演の音声データとこの音声データに対応付けられているファイルネームに講演者Ａの今回の講演の記録を始めた際のタイムスタンプ情報が記録されている。
【００３２】
ユーザーは、別な日に講演者Ａの第二の講演があった際に、その講演を聴きながら、上述したと同じ手順によってデータ記録装置１を使用して記録媒体１４に講演者Ａの第二の講演を記録する。
同様に、講演者Ａの第三の講演、第四の講演、・・・・・をデータ記録装置１を用いて記録媒体１４に記録する。
【００３３】
ここで、ユーザーは友人から講演者Ａの講演のデータを所望されると、ユーザーは、友人が所望しているデータが何回目の講演のデータであるかが判らないので、講演者Ａの記録された講演の全てのデータ（ファイル）を出力端１３から読出し、メイルに添付ファイルとして友人に送る。
友人は、ユーザーからのメイルによって、講演者Ａの記録された講演の全てのデータを受け取る。
【００３４】
このメイルの送受の際に、講演者Ａの記録された講演の全てのデータ（ファイル）及びそれぞれに対応付けられたファイルネームは消失することがなく、ファイルネームに記録されたタイムスタンプ情報も消失することはない。
従って、友人は、ユーザーからメイルで送られて来た講演者Ａの記録された講演の全てのデータを対応付けられたファイルネームから各データが記録された際のタイムスタンプ情報を読出し、そのタイムスタンプ情報に基づいて所望するデータを特定することができる。
又、友人は、講演者Ａの記録された講演の全てのデータがアトランダムに受け取った場合であっても、タイムスタンプ情報に基づいて、データの記録順にである時系列的にそれらのデータを並べ換えたり、編集することができる。
【００３５】
尚、データ記録装置１は、データを再生する機能も備えられている。つまり、ユーザーが記録媒体１４に記録したデータの再生を望む際には、操作手段１１から制御手段６に再生モード出力の信号を送る。
ここで、制御手段６は、ＤＳＰ５に記録媒体１４からデータを再生するための制御信号を送る。
ＤＳＰ５は、制御手段６の制御信号に基づいて、バッファメモリ７を介して記録媒体１４から講演者Ａの講演に係る音声データを読み出し、バス１５に送る。
【００３６】
バス１５に送られた音声データは、Ｄ／Ａ変換器８に送られてデジタル信号からアナログ信号に変換される。
続いて、そのＤ／Ａ変換器８で得られたアナログ信号は、アンプ９に送られて所望のボリュームに増幅され、スピーカ１０に送られる。
所望のボリュームに増幅されたアナログ信号は、スピーカ１０で音声に変換され、講演者Ａの講演となって再生出力される。
又、このデータ記録装置１の再生機能の際、出力されるデータのレベル等は表示手段１２によって表示される。
【００３７】
上述した使用においては、出力端１３から記録媒体１４のデータを読み出しているが、記録媒体１４をデータ記録装置１から取り外し、添付ファイルを作成する装置によってデータを読み出す構成も考えられる。記録媒体１４からの斯かる構成のデータの読み出しによって添付ファイルでデータ（ファイル）を送る場合であっても、データに対応付けられているファイルネームは消失することはないからタイムスタンプ情報が消失するという事態は生じない。
【００３８】
又、データ記録装置１を用いて記録媒体１４に記録されたデータ（ファイル）をインターネット上に保存し、その保存しているファイルを訪問者がダウンロードする場合であっても、上述したと同じ理由でファイルネームは消失することがないから、タイムスタンプ情報が消失するという問題は生じない。
【００３９】
データ記録装置１では、データに記録する際のタイムスタンプ情報を生成するクロック手段を制御手段６に内蔵しているが、単体であってもよく、ＤＳＰ５に内蔵される構成であってもよい。
又、データ記録装置１では、クロック手段がデータに記録する際のタイムスタンプ情報を生成するのはユーザーが操作手段１１を操作することによってであるが、より高いデータの記録の同時性を求めるように、マイクロフォン２の音声のピックアップに対応して、つまり、データのピックアップを感知するセンサーを備えることによってクロック手段が機能する構成が挙げられる。
【００４０】
データ記録装置１は音声のデータを記録する構成であるが、連続映像、動画映像、映像と音声の組み合わせ等であってもよい。
【図面の簡単な説明】
【００４１】
【図１】この発明の最良の実施の一形態において、記録媒体を接続している際の構成を説明するブロック図である。
【符号の説明】
【００４２】
１      ：データ記録装置
５      ：デジタル信号プロセッサ（ＤＳＰ、記録手段で且つ再生手段）
６      ：制御手段
１２    ：操作手段
１３    ：出力端
【図１】
2007048088.tif 000003